(57)【要約】 【課題】  記録媒体に記録される番組情報から、所望の番組情報を容易かつ即座に選択して出力することができる情報記録出力装置を提供する。【解決手段】  放送局から送信される複数チャンネルの番組情報は、アンテナ１１およびチューナＩＣ１３によって受信された後、番組情報の記録開始時刻および記録終了時刻を含む記録時間情報およびＥＰＧ情報にそれぞれ関連付けられて、記録番組関連情報として第１ＨＤＤ部１６に記録される。このように第１ＨＤＤ部１６には、記録時間情報を含む記録番組関連情報が記録されるので、操作者は、たとえば第１ＨＤＤ部１６に記録された番組情報に関連付けられた記録時間情報に基づいて、視聴を所望する番組情報を比較的容易に選び出すことができる。そして操作者は、選び出した番組情報を出力装置２６によって出力して、前記番組情報を比較的容易かつ迅速に視聴することが可能となる。【選択図】      図１
2007036864.tif 000002
【特許請求の範囲】
【請求項１】
情報を受信可能な受信手段と情報を記録する記録媒体とを有し、受信手段によって、放送局から送信される複数チャンネルの番組に関する番組情報を受信し、受信した複数チャンネルの番組情報を記録媒体に記録して出力する情報記録出力装置であって、
電子番組案内情報を取得する取得手段と、
受信手段によって受信した番組情報、番組情報の記録開始時刻および記録終了時刻を含む記録時間を表す記録時間情報、および取得手段によって取得した電子番組案内情報をそれぞれ関連付けた記録番組関連情報を生成する関連情報生成手段と、
関連情報生成手段によって生成される記録番組関連情報を記録媒体に記録させる制御手段とを含むことを特徴とする情報記録出力装置。
【請求項２】
情報を受信可能な受信手段と情報を記録する記録媒体とを有し、受信手段によって、放送局から送信される複数チャンネルの番組に関する番組情報を受信し、受信した複数チャンネルの番組情報を記録媒体に記録して出力する情報記録出力装置であって、
受信手段によって受信した番組情報と、番組情報の記録開始時刻および記録終了時刻を含む記録時間を表す記録時間情報とを相互に関連付けた記録番組関連情報を生成する関連情報生成手段と、
関連情報生成手段によって生成される記録番組関連情報を記録媒体に記録させる制御手段とを含むことを特徴とする情報記録出力装置。
【請求項３】
前記記録媒体に記録されている複数チャンネルの番組情報をそれぞれ復号化する複数の復号化手段と、
複数の復号化手段によってそれぞれ復号化された番組情報を出力するための番組処理手段とをさらに含み、
前記制御手段は、記録媒体に記録された記録番組関連情報の記録時間情報に基づいて、複数の復号化手段によってそれぞれ復号化された複数チャンネルの番組情報のうちの一の番組情報と他の番組情報とを同期させて出力するように、番組処理手段を制御することを特徴とする請求項１または２記載の情報記録出力装置。
【請求項４】
複数チャンネルの番組情報のうち、一の番組情報から一の番組情報とは異なる他の番組情報へ切換えるための操作が可能な操作手段をさらに含み、
前記制御手段は、操作手段によって一の番組情報から切換えられた他の番組情報を出力するように、前記番組処理手段を制御することを特徴とする請求項３記載の情報記録出力装置。
【請求項５】
前記操作手段は、番組情報の記録時間における所定の時刻に予め定める時間を加算して求めた時刻、または前記所定の時刻から予め定める時間を減算して求めた時刻に対応する番組情報を出力するための指令を入力可能に構成され、
前記制御手段は、出力している番組情報の記録時間における前記指令が入力されたときの時刻に予め定める時間を加算して求めた時刻、または前記指令が入力されたときの時刻から予め定める時間を減算して求めた時刻に対応する番組情報を出力するように、前記番組処理手段を制御することを特徴とする請求項４記載の情報記録出力装置。
【請求項６】
前記番組情報が、連続して定時的に放送局から送信される連続番組情報である場合、前記操作手段は、出力している連続番組情報よりも前回または次回に記録媒体に記録された連続番組情報を出力するための指令を入力可能に構成され、
前記制御手段は、前記操作手段によって入力された前記指令、出力している連続番組情報および記録時間情報に基づいて、出力している連続番組情報よりも前回に記録された連続番組情報または出力している連続番組情報よりも次回に記録された連続番組情報を、前記記録媒体に記録されている番組情報から検索して出力するように、前記番組処理手段を制御することを特徴とする請求項５記載の情報記録出力装置。
【請求項７】
前記操作手段は、出力している番組情報のジャンルと同一のジャンルの番組情報を出力するための指令を入力可能に構成され、
前記制御手段は、前記操作手段によって入力された前記指令、出力している番組情報および記録時間情報に基づいて、出力している番組情報と同一ジャンルの番組情報であって、出力している番組情報とは異なる番組情報を出力するように、前記番組処理手段を制御することを特徴とする請求項５記載の情報記録出力装置。
【発明の詳細な説明】
【技術分野】
【０００１】
本発明は、たとえば放送局から送信される番組情報を受信し、記録媒体に記録して出力することが可能な情報記録出力装置に関する。
【背景技術】
【０００２】
従来技術の多チャンネル記録再生装置は、複数のチューナおよび大容量のハードディスクドライブを備え、各チューナで複数チャンネルの放送を受信し、受信した放送に基づく映像信号は符合化されてハードディスクドライブに記録される。ハードディスクドライブに記録される前記符合化された信号は、デコーダによって元の映像信号に変換されてテレビジョン受信機に入力され、前記符合化された信号が表す番組がテレビジョン受信機によって再生されるように構成される（たとえば、特許文献１参照）。
【０００３】
【特許文献１】特開平９−９１９３号公報
【発明の開示】
【発明が解決しようとする課題】
【０００４】
前述の従来技術では、複数のチューナによって複数チャンネルの放送を受信し、受信した放送に基づく映像信号がハードディスクドライブに記録されるように構成されているけれども、ハードディスクドライブに記録される映像信号が増えるに従って、操作者が、映像信号が表す番組から、所望の番組を即座に検索することが困難になるという問題がある。
【０００５】
この問題を解決するために、番組の放送時間帯、放送局および番組内容を含む電子番組表を表示画面に表示させ、その電子番組表を用いて再生すべき番組を選択可能に構成される従来技術が知られている。しかし、電子番組表を表示画面に表示させるたびに、番組の再生が中断されるうえ、視聴する番組を他の番組へ切換えるためには、操作者が現段階で再生している番組を一旦停止した後、新たな番組を再生する操作をする必要がある。したがって、操作者にとって操作が煩雑であるという問題がある。
【０００６】
本発明の目的は、記録媒体に記録される番組情報から、所望の番組情報を容易かつ即座に選択して出力することができる情報記録出力装置を提供することである。
【課題を解決するための手段】
【０００７】
本発明は、情報を受信可能な受信手段と情報を記録する記録媒体とを有し、受信手段によって、放送局から送信される複数チャンネルの番組に関する番組情報を受信し、受信した複数チャンネルの番組情報を記録媒体に記録して出力する情報記録出力装置であって、
電子番組案内情報を取得する取得手段と、
受信手段によって受信した番組情報、番組情報の記録開始時刻および記録終了時刻を含む記録時間を表す記録時間情報、および取得手段によって取得した電子番組案内情報をそれぞれ関連付けた記録番組関連情報を生成する関連情報生成手段と、
関連情報生成手段によって生成される記録番組関連情報を記録媒体に記録させる制御手段とを含むことを特徴とする情報記録出力装置である。
【０００８】
また本発明は、情報を受信可能な受信手段と情報を記録する記録媒体とを有し、受信手段によって、放送局から送信される複数チャンネルの番組に関する番組情報を受信し、受信した複数チャンネルの番組情報を記録媒体に記録して出力する情報記録出力装置であって、
受信手段によって受信した番組情報と、番組情報の記録開始時刻および記録終了時刻を含む記録時間を表す記録時間情報とを相互に関連付けた記録番組関連情報を生成する関連情報生成手段と、
関連情報生成手段によって生成される記録番組関連情報を記録媒体に記録させる制御手段とを含むことを特徴とする情報記録出力装置である。
【０００９】
また本発明は、前記記録媒体に記録されている複数チャンネルの番組情報をそれぞれ復号化する複数の復号化手段と、
複数の復号化手段によってそれぞれ復号化された番組情報を出力するための番組処理手段とをさらに含み、
前記制御手段は、記録媒体に記録された記録番組関連情報の記録時間情報に基づいて、複数の復号化手段によってそれぞれ復号化された複数チャンネルの番組情報のうちの一の番組情報と他の番組情報とを同期させて出力するように、番組処理手段を制御することを特徴とする。
【００１０】
また本発明は、複数チャンネルの番組情報のうち、一の番組情報から一の番組情報とは異なる他の番組情報へ切換えるための操作が可能な操作手段をさらに含み、
前記制御手段は、操作手段によって一の番組情報から切換えられた他の番組情報を出力するように、前記番組処理手段を制御することを特徴とする。
【００１１】
また本発明は、前記操作手段は、番組情報の記録時間における所定の時刻に予め定める時間を加算して求めた時刻、または前記所定の時刻から予め定める時間を減算して求めた時刻に対応する番組情報を出力するための指令を入力可能に構成され、
前記制御手段は、出力している番組情報の記録時間における前記指令が入力されたときの時刻に予め定める時間を加算して求めた時刻、または前記指令が入力されたときの時刻から予め定める時間を減算して求めた時刻に対応する番組情報を出力するように、前記番組処理手段を制御することを特徴とする。
【００１２】
また本発明は、前記番組情報が、連続して定時的に放送局から送信される連続番組情報である場合、前記操作手段は、出力している連続番組情報よりも前回または次回に記録媒体に記録された連続番組情報を出力するための指令を入力可能に構成され、
前記制御手段は、前記操作手段によって入力された前記指令、出力している連続番組情報および記録時間情報に基づいて、出力している連続番組情報よりも前回に記録された連続番組情報または出力している連続番組情報よりも次回に記録された連続番組情報を、前記記録媒体に記録されている番組情報から検索して出力するように、前記番組処理手段を制御することを特徴とする。
【００１３】
また本発明は、前記操作手段は、出力している番組情報のジャンルと同一のジャンルの番組情報を出力するための指令を入力可能に構成され、
前記制御手段は、前記操作手段によって入力された前記指令、出力している番組情報および記録時間情報に基づいて、出力している番組情報と同一ジャンルの番組情報であって、出力している番組情報とは異なる番組情報を出力するように、前記番組処理手段を制御することを特徴とする。
【発明の効果】
【００１４】
本発明によれば、受信手段は、放送局から送信される複数チャンネルの番組に関する番組情報を受信する。取得手段は、たとえば放送局から番組情報とともに送信される電子番組案内情報を取得する。関連情報生成手段では、受信手段によって受信した番組情報、番組情報の記録開始時刻および記録終了時刻を含む記録時間を表す記録時間情報、および取得手段によって取得した電子番組案内情報をそれぞれ関連付けた記録番組関連情報を生成する。関連情報生成手段によって生成される記録番組関連情報は、制御手段によって、記録媒体に記録される。
【００１５】
放送局から送信される複数チャンネルの番組情報は、記録時間情報および電子番組案内情報にそれぞれ関連付けられ、記録番組関連情報として記録媒体に記録されるので、操作者は、録画予約の設定をすることなく、記録媒体に記録される番組情報を、たとえば出力装置に出力して視聴することができる。したがって操作者が、録画予約の設定をし忘れて番組情報を視聴できなくなることを防ぐことができる。また記録媒体には、記録時間情報を含む記録番組関連情報が記録されるので、操作者は、たとえば記録媒体に記録された番組情報に関連付けられた記録時間情報に基づいて、視聴を所望する番組情報を比較的容易に選択することができる。そして操作者は、選択した番組情報をテレビジョン受信機などの出力装置に出力することによって、前記選択した番組情報を比較的容易かつ迅速に視聴することが可能となる。
【００１６】
これによって操作者が途中から見始めた番組情報であっても、この番組情報のうち未視聴部分を比較的容易かつ確実に出力して視聴することができる。これらによって操作者に対する操作性および利便性を向上することができる。
【００１７】
また記録媒体には、番組情報、電子番組案内情報および記録時間情報がそれぞれ関連付けられて記録される。換言すると記録媒体には、複数チャンネルの番組情報が、記録時の時間関係を維持した状態で記録される。したがって番組情報の記録時の時間関係を維持した状態で、複数チャンネルの番組情報を出力することができる。これによって操作者は、記録時の時間関係を維持した状態で出力される複数チャンネルの番組情報から、比較的容易に所望の番組情報を選択して視聴することができる。したがって、操作者に対する利便性を向上することができる。
【００１８】
また本発明によれば、受信手段は、放送局から送信される複数チャンネルの番組に関する番組情報を受信する。関連情報生成手段では、受信手段によって受信した番組情報と、番組情報の記録開始時刻および記録終了時刻を含む記録時間を表す記録時間情報とを相互に関連付けた記録番組関連情報を生成する。関連情報生成手段によって生成される記録番組関連情報は、制御手段によって、記録媒体に記録される。
【００１９】
放送局から送信される番組情報は、記録時間情報と相互に関連付けられ、記録番組関連情報として記録媒体に記録されるので、操作者は、録画予約の設定をすることなく、記録媒体に記録される番組情報を、たとえば出力装置に出力して視聴することができる。したがって操作者が、録画予約の設定をし忘れて番組情報を視聴できなくなることを防ぐことができる。また記録媒体には、記録時間情報を含む記録番組関連情報が記録されるので、操作者は、たとえば記録媒体に記録された番組情報に関連付けられた記録時間情報に基づいて、視聴を所望する番組情報を比較的容易に選択することができる。そして操作者は、選択した番組情報をテレビジョン受信機などに出力することによって、前記選択した番組情報を比較的容易かつ迅速に視聴することが可能となる。
【００２０】
これによって操作者が途中から見始めた番組情報であっても、この番組情報のうち未視聴部分を比較的容易かつ確実に出力して視聴することができる。これらによって操作者に対する操作性および利便性を向上することができる。
【００２１】
また記録媒体には、番組情報と記録時間情報とが相互に関連付けられて記録される。換言すると記録媒体には、複数チャンネルの番組情報が、記録時の時間関係を維持した状態で記録される。したがって番組情報の記録時の時間関係を維持した状態で、複数チャンネルの番組情報を出力することができる。これによって操作者は、記録時の時間関係を維持した状態で出力される複数チャンネルの番組情報から、比較的容易に所望の番組情報を選択して視聴することができる。したがって、操作者に対する利便性を向上することができる。
【００２２】
また本発明によれば、記録媒体に記録されている複数チャンネルの番組情報は、複数の復号化手段によってそれぞれ復号化される。複数の復号化手段によってそれぞれ復号化された番組情報は、番組処理手段に与えられる。番組処理手段は、記録媒体に記録された記録番組関連情報の記録時間情報に基づいて、複数の復号化手段によってそれぞれ復号化された複数チャンネルの番組情報のうちの一の番組情報と他の番組情報とを同期させて、出力装置によって出力するように、制御手段によって制御される。換言すると、複数チャンネルの番組情報のうちの一の番組情報と他の番組情報とは同期して出力される。一の番組情報および他の番組情報は、ともに記録時の時間関係を維持した状態で出力される。
【００２３】
したがって操作者は、複数の復号化手段によって復号化された複数チャンネルの番組情報のうちの一の番組情報を視聴しているときに、煩雑な操作をすることなく、比較的容易かつ即座に、一の番組情報と同期して出力される他の番組情報を視聴することができる。これによって操作者に対する利便性を向上することができる。
【００２４】
また本発明によれば、操作手段は、複数チャンネルの番組情報のうち、一の番組情報から一の番組情報とは異なる他の番組情報へ切換えるための操作が可能に構成される。番組処理手段は、操作手段によって一の番組情報から切換えられた他の番組情報を出力するように、制御手段によって制御される。
【００２５】
したがって本発明において、操作者は、前記従来技術のように、出力している番組情報を一旦停止する操作をした後、新たに視聴する番組情報を、電子番組表などを用いて選択し、その選択した番組情報を出力する操作をする必要がない。つまり本発明では、操作者が操作手段によって、複数チャンネルの番組情報のうち、一の番組情報から他の番組情報へ切換えるための操作をするだけでよく、前記従来技術のような煩雑な操作をする必要がない。したがって操作者は、記録時の時間関係を維持した状態で、かつ同期して出力される複数チャンネルの番組情報のうちの前記一の番組情報から、他の番組情報へ比較的容易かつ即座に切換えて、他の番組情報を出力装置などによって出力して視聴することができる。これによって、操作者に対する操作性および利便性をさらに向上することができる。
【００２６】
また本発明によれば、操作手段は、番組情報の記録時間における所定の時刻に予め定める時間を加算して求めた時刻、または前記所定の時刻から予め定める時間を減算して求めた時刻に対応する番組情報を出力するための指令を入力可能に構成される。番組処理手段は、出力している番組情報の記録時間における前記指令が入力されたときの時刻に予め定める時間を加算して求めた時刻、または前記指令が入力されたときの時刻から予め定める時間を減算して求めた時刻に対応する番組情報を出力するように、制御手段によって制御される。
【００２７】
したがって本発明では、視聴する番組情報を記録時間単位で変更するにあたって、記録媒体に記録された番組情報から、視聴する番組情報を選択して視聴するとき、出力している番組情報を一旦停止する操作をした後、新たに視聴する番組情報を、電子番組表などを用いて選択し、その選択した番組情報を出力する操作をする必要がある前記従来技術とは異なり、操作者は前記従来技術のような煩雑な操作をする必要がない。
【００２８】
具体的に述べると、操作者は操作手段によって、番組情報の記録時間における所定の時刻に予め定める時間を加算して求めた時刻、または前記所定の時刻から予め定める時間を減算して求めた時刻に対応する番組情報を出力するための指令を入力するだけで、出力している番組情報の記録時間における前記指令が入力されたときの時刻に予め定める時間を加算して求めた時刻に対応する番組情報、または前記指令が入力されたときの時刻から予め定める時間を減算して求めた時刻に対応する番組情報を、比較的容易かつ即座に出力して視聴することができる。これによって、視聴する番組情報を記録時間単位で変更する場合における操作者に対する操作性および利便性を向上することができる。
【００２９】
また本発明によれば、操作手段は、番組情報が、連続して定時的に放送局から送信される連続番組情報である場合、出力している連続番組情報よりも前回または次回に記録媒体に記録された連続番組情報を出力するための指令を入力可能に構成される。番組処理手段は、操作手段によって入力された前記指令、出力している連続番組情報および記録時間情報に基づいて、出力している連続番組情報よりも前回に記録された連続番組情報または出力している連続番組情報よりも次回に記録された連続番組情報を、前記記録媒体に記録されている番組情報から検索して出力するように、制御手段によって制御される。
【００３０】
したがって本発明では、視聴する連続番組情報を、各回毎の連続番組情報単位で変更するにあたって、記録媒体に記録された番組情報から所望の連続番組情報を選択して視聴するとき、出力している連続番組情報を一旦停止する操作をした後、新たに視聴する連続番組情報を、電子番組表などを用いて選択し、その選択した連続番組情報を出力する操作をしなければならない前記従来技術とは異なり、操作者は前記従来技術のような煩雑な操作をする必要がない。
【００３１】
具体的に述べると、操作者は操作手段によって、出力している連続番組情報よりも前回または次回に記録媒体に記録された連続番組情報を出力するための指令を入力するだけで、出力している番組情報よりも前回または次回に記録媒体に記録された連続番組情報が、記録媒体から検索されて出力される。したがって操作者は、検索されて出力される連続番組情報を比較的容易かつ即座に視聴することができる。これによって、視聴する連続番組情報を、各回毎の連続番組情報単位で変更する場合における操作者に対する操作性および利便性をさらに向上することができる。
【００３２】
また本発明によれば、操作手段は、出力している番組情報のジャンルと同一のジャンルの番組情報を出力するための指令を入力可能に構成される。番組処理手段は、操作手段によって入力された前記同一のジャンルの番組情報を出力するための指令、出力している番組情報および記録時間情報に基づいて、出力している番組情報と同一ジャンルの番組情報であって、出力している番組情報とは異なる番組情報を出力するように、制御手段によって制御される。
【００３３】
したがって本発明では、視聴する番組情報を、同一ジャンルの番組情報単位で変更するにあたって、記録媒体に記録された番組情報から所望の番組情報を選択して視聴するとき、出力している番組情報を一旦停止する操作をした後、新たに視聴する番組情報を、電子番組表などを用いて選択し、その選択した番組情報を出力する操作をする必要がある前記従来技術とは異なり、操作者は前記従来技術のような煩雑な操作をする必要がない。
【００３４】
具体的に述べると、操作者は操作手段によって、番組情報のジャンルと同一ジャンルの番組情報を出力するための指令を入力するだけで、記録時の時間関係を維持した状態で出力している番組情報と同一ジャンルの番組情報であって、出力している番組情報とは異なる番組情報が出力される。したがって操作者は、出力される番組情報を比較的容易かつ即座に視聴することができる。これによって、視聴する番組情報を、同一ジャンルの番組情報単位で変更する場合における操作者に対する操作性および利便性を向上することができる。
【発明を実施するための最良の形態】
【００３５】
図１は、本発明の実施の一形態である情報記録出力装置１の構成を示すブロック図である。図２は、操作部３の構成を示す図である。情報記録出力装置１は、放送局から送信される複数チャンネルの番組に関する番組情報を、受信手段によって受信し、受信した複数チャンネルの番組情報を記録媒体に記録して出力することが可能な装置である。番組情報は、画像を表す画像情報および音声を表す音声情報を含む。以下の実施の形態において、先行して説明している事項に対応する部分については、同一の参照符を付して、重複する説明を省略する場合がある。構成の一部のみを説明している場合、構成の他の部分は、先行して説明している形態と同様とする。
【００３６】
情報記録出力装置１は、情報記録出力装置本体２、操作部３および制御部４を含んで構成される。情報記録出力装置本体２は、アンテナ１１、複数チャンネル受信チューナモジュール部１２、第１エンコーダ部１５、第１ハードディスクドライブ（以下、「第１ＨＤＤ」と称する場合がある）部１６、情報管理編集部１７、第１デコーダ部１８、情報処理部１９、関連情報生成部２０、第２エンコーダ部２１、第２ハードディスクドライブ（以下、「第２ＨＤＤ」と称する場合がある）部２２、第２デコーダ部２３、メディア記録部２４および番組情報処理部２５を含む。複数チャンネル受信チューナモジュール部（以下、単に「チューナモジュール部」と称する場合がある）１２は、複数チャンネル受信チューナＩＣ（Integrated Circuit）１３およびアナログ／デジタル（略称：Ａ／Ｄ）コンバータＩＣ１４を含む。
【００３７】
アンテナ１１は、たとえば放送衛星（Broadcasting Satellite；略称：ＢＳ）、通信衛星（Communication Satellite；略称：ＣＳ）および地上アンテナから送信される複数の放送波を捕捉する。複数チャンネル受信チューナＩＣ（以下、単に「チューナＩＣ」と称する場合がある）１３は、アンテナ１１が捕捉した複数の放送波を受信し、受信した複数の放送波を復調することによって、複数チャンネル、本実施の形態ではｎ（ｎは２以上の自然数）チャンネルの番組に関する番組情報、および電子番組案内（Electronic Program Guide；略称：ＥＰＧ）情報を取得する。ＥＰＧ情報は、放送チャンネルの一覧、放送中または放送予定の番組の内容閲覧、ならびに所望の番組を容易に検索および予約する機能を提供する情報である。チューナＩＣ１３は、取得した番組情報およびＥＰＧ情報をＡ／ＤコンバータＩＣ１４に与える。
【００３８】
Ａ／ＤコンバータＩＣ１４は、チューナＩＣ１３から与えられるＥＰＧ情報および複数チャンネルの番組情報に対してＡ／Ｄ変換処理をして、アナログ信号からデジタル信号に変換する。Ａ／ＤコンバータＩＣ１４は、Ａ／Ｄ変換処理をした前記ＥＰＧ情報および複数チャンネルの番組情報を、第１エンコーダ部１５に与える。
【００３９】
第１エンコーダ部１５は、Ａ／ＤコンバータＩＣ１４から与えられる複数チャンネルの番組情報を符合化する。具体的に述べると、第１エンコーダ部１５では、前記複数チャンネルの番組情報の各画像情報に対して、たとえばＭＰＥＧ（Moving Picture Experts
Group）方式の圧縮処理をし、前記番組情報の各音声情報に対して、たとえばＭＰＥＧ方式の圧縮処理をする。第１エンコーダ部１５は、Ａ／ＤコンバータＩＣ１４から与えられるＥＰＧ情報および複数チャンネルの符号化した番組情報を第１ＨＤＤ部１６に与える。
【００４０】
第１ＨＤＤ部１６は、番組情報用記録領域および入力情報用記録領域を含む。本実施の形態における番組情報用記録領域は、第１エンコーダ部１５から与えられる複数チャンネルの符号化された番組情報、番組情報の記録開始時刻および終了時刻を含む記録時間を表す記録時間情報、および第１エンコーダ部１５から与えられるＥＰＧ情報をそれぞれ関連付けた記録番組関連情報を記録する。入力情報用記録領域は、後述する操作部３が操作されて入力される情報を記録する。
【００４１】
第１ＨＤＤ部１６は、番組情報用記録領域に記録される記録番組関連情報を第１デコーダ部１８および第２デコーダ部２３のうちいずれか一方に与える。情報管理編集部１７は、第１ＨＤＤ部１６に記録される記録番組関連情報の番組情報のうち、複数の同一の番組情報を一括して管理する。また情報管理編集部１７は、制御部４から与えられる制御信号に基づいて、第１ＨＤＤ部１６に記録される記録番組関連情報の編集、具体的には記録番組関連情報に含まれる不要な部分の消去および不要な番組情報の消去などをする。第１デコーダ部１８は、第１ＨＤＤ部１６から与えられる前記第１エンコーダ部１５によって符合化された番組情報を復号化する。第１デコーダ部１８は、復号化した番組情報（以下、「復号化番組情報」と称する場合がある）を情報処理部１９に与える。
【００４２】
情報処理部１９は、第１デコーダ部１８から与えられる復号化番組情報から、画像情報および音声情報のうち少なくともいずれか一方を抽出し、検索番組関連情報生成部２０に与える。
【００４３】
検索番組関連情報生成部２０は、操作者を識別する識別情報、情報処理部１９から与えられる画像情報および音声情報のうち少なくともいずれか１つを、操作者が番組情報を検索するための検索鍵を表す検索情報とし、この検索情報と、第１デコーダ部１８によって復号化されて生成された復号化番組情報とを関連付けた検索番組関連情報を生成する。前記識別情報は、たとえば操作者名であってもよいし、操作者毎に割当てられるＩＤ（
Identification）番号であってもよい。本実施の形態では、操作者によって操作部３が操作されて、識別情報、情報処理部１９から与えられる画像情報および音声情報のうちの少なくともいずれか１つが入力されて、検索情報が規定される。検索番組関連情報生成部２０は、生成した検索番組関連情報を第２エンコーダ部２１に与える。
【００４４】
第２エンコーダ部２１は、検索番組関連情報生成部２０から与えられる検索番組関連情報を符合化する。具体的に述べると、第２エンコーダ部２１では、検索番組関連情報に対して、たとえばＭＰＥＧ方式の圧縮処理をする。第２エンコーダ部２１は、符号化した検索番組関連情報（以下、「符合化関連情報」と称する場合がある）を第２ＨＤＤ部２２に与える。第２ＨＤＤ部２２は、第２エンコーダ部２１から与えられる符合化関連情報を記録する。第２ＨＤＤ部２２は、記録している符合化関連情報を第２デコーダ部２３に与える。
【００４５】
第２デコーダ部２３は、第１ＨＤＤ部１６に記録されている記録番組関連情報のうちの複数チャンネルの番組情報をそれぞれ復号化する複数のデコーダを有する。第２デコーダ部２３は、第２ＨＤＤ部２２から与えられる符合化関連情報を復号化して検索番組関連情報を生成し、メディア記録部２４および番組情報処理部２５の少なくともいずれか一方に与える。また第２デコーダ部２３は、第１ＨＤＤ部１６から与えられる記録番組関連情報の複数チャンネルの番組情報を、複数のデコーダによってそれぞれ復号化する。第２デコーダ部２３は、復号化した複数チャンネルの番組情報を含む記録番組関連情報をメディア記録部２４および番組情報処理部２５の少なくともいずれか一方に与える。
【００４６】
メディア記録部２４は、コンパクトディスク（Compact Disk；略称：ＣＤ）およびデジタル多機能ディスク（Digital Versatile Disk；略称：ＤＶＤ）などの光記録媒体に、第２デコーダ部２３から与えられる記録番組関連情報を記録する機能を有する。
【００４７】
番組情報処理部２５は、第２デコーダ部２３から与えられる記録番組関連情報および検索番組関連情報に対して画像処理を施す。番組情報処理部２５は、後述する制御部４から与えられる指令であって、ＥＰＧ情報の出力に関する指令に基づいて、第２デコーダ部２３から与えられる記録番組関連情報に含まれるＥＰＧ情報を、情報記録出力装置１の外部に設けられる出力装置２６に出力させる。出力装置２６は、たとえば音声情報を出力可能なスピーカおよび画像情報を出力可能なディスプレイを備えるテレビジョン受信機によって実現される。
【００４８】
番組情報処理部２５は、第２デコーダ部２３から検索番組関連情報が与えられている場合、後述する制御部４から与えられる指令であって、検索番組関連情報に含まれる検索情報の出力に関する指令に基づいて、検索情報を出力装置２６に出力させる。その後、後述する制御部４から与えられる指令であって、操作者が所望する番組情報の出力に関する指令に基づいて、操作者が所望する番組情報の画像情報と音声情報とが同期するような処理をして、前記画像情報および音声情報を出力装置２６によって出力させる。
【００４９】
番組情報処理部２５は、第２デコーダ部２３から記録番組関連情報が与えられている場合、後述する制御部４から与えられる指令であって、操作者が所望する番組情報の出力に関する指令に基づいて、操作者が所望する番組情報の画像情報と音声情報とが同期するような処理をして、前記画像情報および音声情報を出力装置２６に出力させる。
【００５０】
操作部３は、操作者が操作する操作キーなどの複数の操作片を有する。操作部３は、各操作片が操作されることによって、数字情報、文字情報および情報記録出力装置本体２への指示情報などの所定の情報など、操作に応じた情報を表す信号を生成して後述する制御部４に与える。したがって操作者は、操作部３の各操作片を操作して、情報記録出力装置本体２に情報を与えることができる。本実施の形態の操作部３は、操作者によって入力される情報を、たとえば赤外線通信によって情報記録出力装置本体２に指令を送信するための遠隔操作が可能なリモコンによって実現される。本発明の他の実施の形態では、操作部３が、情報記録出力装置本体２に設けられてもよい。
【００５１】
本実施の形態の操作部３は、図２に示すように、出力チャンネル（ＣＨ）切換手段３１、番組検索手段３２、連続番組検索手段３３および同一ジャンル検索手段３４を含んで構成される。図２では、理解を容易にするために、数字情報および文字情報を入力するための操作キーを省略して示している。前記出力ＣＨ切換手段３１、番組検索手段３２、連続番組検索手段３３および同一ジャンル検索手段３４は、操作者によって操作される。
【００５２】
出力ＣＨ切換手段３１は、出力装置２６によって出力する番組情報のチャンネルを切換えるための第１切換キー３１ａおよび第２切換キー３１ｂを含む。第１切換キー３１ａが操作されると、チャンネル番号が小さいチャンネルから、チャンネル番号が大きいチャンネルへ順次切換えられる。第２切換キー３１ｂが操作されると、チャンネル番号が大きいチャンネルから、チャンネル番号が小さいチャンネルへ順次切換えられる。
【００５３】
番組検索手段３２は、出力装置２６によって出力している番組情報の記録時間における所定の時刻に予め定める時間を加算して求めた時刻、または前記所定の時刻から予め定める時間を減算して求めた時刻に対応する番組情報を検索するための第１番組検索キー３２ａおよび第２番組検索キー３２ｂを含む。第１番組検索キー３２ａが操作されると、番組情報処理部２５によって、出力装置２６によって出力している番組情報の記録時間における所定の時刻に予め定める時間、たとえば２４時間を加算して求めた時刻に対応する番組情報が第１ＨＤＤ部１６から検索される。第２番組検索キー３２ｂが操作されると、番組情報処理部２５によって、出力装置２６によって出力している番組情報の記録時間における所定の時刻から予め定める時間、たとえば２４時間を減算して求めた時刻に対応する番組情報が第１ＨＤＤ部１６から検索される。
【００５４】
連続番組検索手段３３は、連続して定時的に放送局から送信される番組情報（以下、「連続番組情報」と称する場合がある）を検索するための第１連続番組検索キー３３ａおよび第２連続番組検索キー３３ｂを含む。第１連続番組検索キー３３ａが操作されると、番組情報処理部２５によって、出力装置２６によって出力して視聴しているか、または視聴を終えている連続番組情報よりも次回に第１ＨＤＤ部１６に記録された連続番組情報が検索される。第２連続番組検索キー３３ｂが操作されると、番組情報処理部２５によって、出力装置２６によって出力している連続番組情報よりも前回に第１ＨＤＤ部１６に記録された連続番組情報が検索される。
【００５５】
同一ジャンル検索手段３４は、出力装置２６によって出力している番組情報のジャンルと同一のジャンルの番組情報を検索するための第１同一ジャンル検索キー３４ａおよび第２同一ジャンル検索キー３４ｂを含む。ここでジャンルとは、アニメ、ニュース、スポーツ、音楽、ドラマおよびバラエティなどの番組情報の種類を表す。
【００５６】
第１同一ジャンル検索キー３４ａが操作されると、番組情報処理部２５によって、出力装置２６によって出力して視聴しているか、または視聴を終えている番組情報と同一のジャンルの番組情報であって、前記番組情報の記録開始時刻と同一時刻または前記番組情報の記録終了時刻よりも後に第１ＨＤＤ部１６に記録された番組情報が検索される。第２同一ジャンル検索キー３４ｂが操作されると、番組情報処理部２５によって、出力装置２６によって出力して視聴しているか、または視聴を終えている番組情報と同一のジャンルの番組情報であって、前記番組情報の記録開始時刻よりも前に第１ＨＤＤ部１６に記録された番組情報が検索される。
【００５７】
制御部４は、たとえば中央演算処理装置（Central Processing Unit；略称：ＣＰＵ）を含んで実現され、その内部に記憶される制御プログラムに基づいて、情報記録出力装置本体２を構成する前記チューナモジュール部１２、第１エンコーダ部１５、第１ＨＤＤ部１６、情報管理編集部１７、第１デコーダ部１８、情報処理部１９、検索番組関連情報生成部２０、第２エンコーダ部２１、第２ＨＤＤ部２２、第２デコーダ部２３、メディア記録部２４および番組情報処理部２５を含むハードウェア資源を統括的に制御する。制御部４は、操作部３から与えられる信号に基づいて、情報記録出力装置本体２および情報記録出力装置本体２を構成する各部位に制御信号を与えて、その動作を制御する。
【００５８】
制御部４は、前記アンテナ１１およびチューナモジュール部１２によって受信した番組情報、番組情報の記録時間を表す記録時間情報、および前記アンテナ１１およびチューナモジュール部１２によって取得したＥＰＧ情報をそれぞれ関連付けた記録番組関連情報を生成する。制御部４は、生成した記録番組関連情報を第１ＨＤＤ部１６に記録させる。
【００５９】
制御部４は、記録番組関連情報に含まれるＥＰＧ情報を出力装置２６に出力させる指令を、番組情報処理部２５に与える。これによって、ＥＰＧ情報を出力装置２６に出力させることができる。制御部４は、検索番組関連情報に含まれる検索情報を出力装置２６に出力させる指令を、番組情報処理部２５に与える。これによって、検索情報を出力装置２６に出力させることができる。
【００６０】
制御部４は、第１ＨＤＤ部１６に記録された記録番組関連情報の記録時間情報に基づいて、第２デコーダ部２３の複数のデコーダによってそれぞれ復号化された複数チャンネルの番組情報のうちの一の番組情報と他の番組情報とを同期させて出力させる指令を、番組情報処理部２５に与える。番組情報処理部２５は、制御部４から与えられる前記一の番組情報と他の番組情報とを同期させて出力させる指令に基づいて、前記一の一の番組情報と他の番組情報とを同期させて出力装置２６によって出力させる。
【００６１】
制御部４は、操作部３の出力チャンネル切換手段３１が操作されると、一の番組情報から切換えられた他の番組情報を出力させる指令を、番組情報処理部２５に与える。番組情報処理部２５は、制御部４から与えられる前記他の番組を出力させる指令に基づいて、前記他の番組情報を出力装置２６によって出力させる。
【００６２】
制御部４は、操作部３の番組検索手段３２が操作されると、出力している番組情報の記録時間における前記求めた時刻に対応する番組情報を出力する指令が入力されたときの時刻に、予め定める時間を加算するかまたは予め定める時間を減算して求めた時刻に対応する番組情報を出力させる指令を、番組情報処理部２５に与える。番組情報処理部２５は、制御部４から与えられる前記求めた時刻に対応する番組情報を出力させる指令に基づいて、前記求めた時刻に対応する番組情報を出力装置２６によって出力させる。
【００６３】
制御部４は、操作部３の連続番組検索手段３３が操作されると、出力している連続番組情報よりも前回に記録された連続番組情報または出力している連続番組情報よりも次回に記録された連続番組情報を、前記第１ＨＤＤ部１６に記録されている記録番組関連情報の番組情報から検索して出力させる指令を番組情報処理部２５に与える。番組情報処理部２５は、制御部４から与えられる前記指令、出力している番組情報および記録時間情報に基づいて、前記出力している番組情報よりも前回または次回に記録された番組情報を、第１ＨＤＤ部１６に記録されている番組情報から検索し、その検索した番組情報を出力装置２６によって出力させる。
【００６４】
制御部４は、操作部３の同一ジャンル検索手段３４が操作されると、出力している番組情報のジャンルと同一のジャンルの番組情報を出力する指令を番組情報処理部２５に与える。番組情報処理部２５は、操作部３から与えられる前記指令、出力している番組情報および記録時間情報に基づいて、出力している番組情報と同一のジャンルの番組情報であって、出力している番組情報とは異なる番組情報を出力装置２６によって出力させる。さらに述べると番組情報処理部２５は、制御部４から与えられた前記指令、出力している番組情報および記録時間情報に基づいて、出力している番組情報と同一のジャンルの番組情報であって、出力している番組情報の記録時刻よりも前または後に記録された番組情報を、第１ＨＤＤ部１６に記録されている番組情報から検索し、その検索した番組情報を出力装置２６によって出力させる。
【００６５】
本実施の形態において、受信手段および取得手段は、アンテナ１１および複数チャンネル受信チューナモジュール部１２に相当する。記録媒体は、第１ＨＤＤ部１６および第２ＨＤＤ部２２の少なくともいずれか一方に相当する。操作手段は、操作部３に相当する。関連情報生成手段および制御手段は、制御部４に相当する。復号化手段は、第２デコーダ部２３に相当する。番組処理手段は、番組情報処理部２５に相当する。
【００６６】
図３は、記録番組関連情報４０を示す図である。本実施の形態では、アンテナ１１およびチューナモジュール部１２によって、放送局から送信される複数のチャンネル（略称：ＣＨ）、具体的にはＣＨ「１」〜ＣＨ「ｎ」のｎ（ｎは２以上の自然数）個のチャンネルの番組情報を受信する。また本実施の形態では、アンテナ１１およびチューナモジュール部１２によって、たとえば放送局から送信されるＥＰＧ情報を取得する。本実施の形態では、受信した複数チャンネルの番組情報、ＥＰＧ情報ならびに番組情報の記録開始時刻および記録終了時刻を含む記録時間を表す記録時間情報をそれぞれ関連付けた記録番組関連情報が、制御部４によって生成されて、第１ＨＤＤ部１６に記録される。
【００６７】
図４は、第１ＨＤＤ部１６に記録された複数チャンネルの番組情報５０、記録チャンネル情報５１および記録時間情報５２の一例を示す図である。図４には、理解を容易にするために、第１ＨＤＤ部１６記録された番組情報の受信に寄与したチャンネルを表す記録チャンネル（略称：ＣＨ）情報５１を６つ示している。具体的な記録ＣＨ情報５１は、ＣＨ「２」，ＣＨ「４」，ＣＨ「６」，ＣＨ「８」，ＣＨ「１０」，ＣＨ「１２」である。また図４には、理解を容易にするために、２０ＸＸ年４月８日金曜日の１６時（１６：００）から２３時までの記録時間情報５２が表す記録時間内に第１ＨＤＤ部１６に記録された番組情報５０を示している。各記録ＣＨ情報５１が表す記録ＣＨの番組情報は、第２デコーダ部２３に備えられている複数のデコーダ、本実施の形態では６つのデコーダ、具体的には「デコーダ１」〜「デコーダ６」によってそれぞれ復号化される。
【００６８】
本実施の形態では、操作者が操作部３を操作して、第１ＨＤＤ部１６に記録されている複数チャンネルの番組情報５０のうちの所望の番組情報５０、たとえば「記録ＣＨ６」の番組情報「サッカーＡ」を、操作者が視聴したい部分に相当する記録時刻（以下、「視聴部分記録時刻」と称する場合がある）５３、たとえば１９時４５分から出力する指令を入力したとする。この場合、第１ＨＤＤ部１６に記録されている番組情報「サッカーＡ」は、第２デコーダ部２３の「デコーダ３」によって復号化されるとともに、前記番組情報「サッカーＡ」の視聴部分記録時刻１９時４５分に対応する他の記録チャンネル５１の番組情報５０が、第２デコーダ部２３が備える複数のデコーダのうちの「デコーダ３」を除くデコーダによってそれぞれ復号化される。
【００６９】
番組情報処理部２５は、第２デコーダ部２３の「デコーダ３」によって復号化された番組情報「サッカーＡ」と、番組情報「サッカーＡ」の視聴部分記録時刻５３に対応する他のチャンネルの番組情報５０とを同期させて、出力装置２６によって出力させる。前記操作者が視聴したい部分に相当する記録時刻に対応する他のチャンネルの番組情報５０は、図４に太線の枠で囲んで示しており、具体的には「記録ＣＨ２」の番組情報「ニュースＡ」、「記録ＣＨ４」の番組情報「ドラマＡ（第２話）」、「記録ＣＨ８」の番組情報「ニュースＢ」、「記録ＣＨ１０」の番組情報「アニメＣ（第５話）」および「記録ＣＨ１２」の番組情報「サッカーＢ」である。
【００７０】
図５は、情報記録出力装置１の動作に関する処理手順を示すフローチャートである。情報記録出力装置１の動作に関する処理手順の開始条件は、たとえば情報記録出力装置１に電源が投入されていることである。
【００７１】
ステップａ１では、制御部４が、アンテナ１１およびチューナモジュール部１２によって、放送局から送信される複数チャンネルの番組情報５０を受信しているか否かを判断し、受信していればステップａ２に進み、受信していなければ受信するまで待機する。
【００７２】
ステップａ２では、たとえばアンテナ１１およびチューナモジュール部１２によって、放送局から送信される電子番組案内情報（以下、単に「ＥＰＧ情報」と称する場合がある）を取得しているか否かを判断し、取得していればステップａ３に進み、取得していなければ取得するまで待機する。
【００７３】
ステップａ３では、制御部４が、アンテナ１１およびチューナモジュール部１２によって受信した前記複数チャンネルの番組情報５０、番組情報５０の記録時間を表す記録時間情報５２ならびにアンテナ１１およびチューナモジュール部１２によって取得したＥＰＧ情報をそれぞれ関連付けた記録番組関連情報４０を生成して、ステップａ４に進む。
【００７４】
ステップａ４では、制御部４が、ステップａ３で生成した記録番組関連情報４０を第１ＨＤＤ部１６に記録して、ステップａ５に進む。
【００７５】
ステップａ５では、第２デコーダ部２３が、第１ＨＤＤ部１６に記録されている記録番組関連情報４０に含まれる複数チャンネルの番組情報５０を復号化して、ステップａ６に進む。
【００７６】
ステップａ６では、番組情報処理部２５が、ステップａ５で復号化された複数チャンネルの番組情報５０のうちの一の番組情報、具体的には操作者の所望する番組情報５０と、他の番組情報、具体的には操作者の所望する番組情報５０の視聴部分記録時刻５３に対応する他のチャンネルの番組情報５０とを同期させて、出力装置２６によって出力させ、その後本処理を終了する。
【００７７】
前述のように本実施の形態によれば、放送局から送信される複数チャンネルの番組情報は、アンテナ１１およびチューナＩＣ１３によって受信した後、番組情報の記録開始時刻および記録終了時刻を含む記録時間情報およびＥＰＧ情報にそれぞれ関連付けられて、記録番組関連情報として第１ＨＤＤ部１６に記録される。したがって操作者は、録画予約の設定をすることなく、第１ＨＤＤ部１６に記録される番組情報を、たとえば出力装置２６に出力して視聴することができる。これによって操作者が、録画予約の設定をし忘れて番組情報を視聴できなくなることを防ぐことができる。
【００７８】
また第１ＨＤＤ部１６には、記録時間情報を含む記録番組関連情報が記録されるので、操作者は、たとえば第１ＨＤＤ部１６に記録された番組情報に関連付けられた記録時間情報に基づいて、視聴を所望する番組情報を比較的容易に選択することができる。そして操作者は、選択した番組情報をテレビジョン受信機などの出力装置に出力することによって、前記選択した番組情報を比較的容易かつ迅速に視聴することが可能となる。これによって操作者が途中から見始めた番組情報であっても、この番組情報のうち未視聴部分を比較的容易かつ確実に出力して視聴することができる。これらによって操作者に対する操作性および利便性を向上することができる。
【００７９】
また第１ＨＤＤ部１６には、複数チャンネルの番組情報が、記録時の時間関係を維持した状態で記録される。したがって番組情報の記録時の時間関係を維持した状態で、複数チャンネルの番組情報を、たとえば出力装置によって出力することができる。これによって操作者は、記録時の時間関係を維持した状態で出力される複数チャンネルの番組情報から、比較的容易に所望の番組情報を選択して視聴することができる。したがって、操作者に対する利便性を向上することができる。
【００８０】
また本実施の形態によれば、第１ＨＤＤ部１６に記録されている複数チャンネルの番組情報は、第２デコーダ部２３の複数のデコーダによってそれぞれ復号化される。複数のデコーダによってそれぞれ復号化された番組情報は、番組情報処理部２５に与えられる。番組情報処理部２５は、第１ＨＤＤ部１６に記録された記録番組関連情報の記録時間情報に基づいて、前記復号化された複数チャンネルの番組情報のうちの一の番組情報と他の番組情報とを同期させて、たとえば出力装置２６によって出力するように、制御部４によって制御される。換言すると、複数チャンネルの番組情報のうちの一の番組情報と他の番組情報とは同期して、出力装置２６によって出力される。一の番組情報および他の番組情報は、ともに記録時の時間関係を維持した状態で出力される。
【００８１】
したがって操作者は、複数のデコーダによって復号化された複数チャンネルの番組情報のうちの一の番組情報を出力装置２６によって出力して視聴しているときに、煩雑な操作をすることなく、比較的容易かつ即座に、一の番組情報と同期して出力される他の番組情報を視聴することができる。これによって操作者に対する利便性を向上することができる。
【００８２】
図６は、出力装置２６によって出力する番組情報５０のチャンネルを切換える処理を説明するための図である。本実施の形態では、２０ＸＸ年４月８日金曜日に第１ＨＤＤ部１６に記録された一の番組情報から、一の番組情報とは異なる他の番組情報であって、一の番組情報と同日に第１ＨＤＤ部１６に記録された他の番組情報へ切換える処理について説明する。
【００８３】
具体的には、記録ＣＨ情報５１が「記録ＣＨ６」の番組情報「サッカーＡ」を出力装置２６によって出力しているとき、この番組情報「サッカーＡ」から、記録ＣＨ情報５１が「記録ＣＨ１２」の番組情報「サッカーＢ」へ切換える場合を想定する。この場合、操作者は、出力ＣＨ切換手段３１の第１切換キー３１ａを操作する。たとえば、操作者によって第１切換キー３１ａが、一の番組情報「サッカーＡ」の記録時間である１９時（１９：００）から２２時（２２：００）における所定の時刻、具体的には１９時４５分に操作された場合、出力装置２６のディスプレイの表示画面は、一の番組情報「サッカーＡ」の表示画面（以下、単に「「サッカーＡ」の表示画面」と称する場合がある）６１から、一の番組情報「サッカーＡ」の記録時間における前記第１切換キーが操作されたときの時刻、ここでは１９時４５分に対応する他の番組情報「サッカーＢ」の表示画面（以下、単に「「サッカーＢ」の表示画面」と称する場合がある）６２へ切換えられる。
【００８４】
また、前記他の番組情報「サッカーＢ」を出力装置２６によって出力しているとき、その出力している「サッカーＢ」から前記一の番組情報「サッカーＡ」へ切換える場合、操作者は、出力ＣＨ切換手段３１の第２切換キー３１ｂを操作する。これによって、出力装置２６のディスプレイの表示画面は、「サッカーＢ」の表示画面６２から「サッカーＡ」の表示画面６１へ切換えられる。
【００８５】
出力装置２６によって出力している「サッカーＡ」の表示画面６１および「サッカーＢ」の表示画面６２には、それぞれ出力している番組情報５０の記録日、記録時刻および記録ＣＨ情報５１を含む記録情報６５が表示される。具体的に述べると、「サッカーＡ」の表示画面６１には番組情報「サッカーＡ」の記録情報６５が記録日、記録時刻および記録ＣＨ情報５１の順に、たとえば「４／８，１９：４５，６ｃｈ」のように表示され、「サッカーＢ」の表示画面６２には番組情報「サッカーＢ」の記録情報６５が記録日、記録時刻および記録ＣＨ情報５１の順に、たとえば「４／８，１９：４５，１２ｃｈ」のように表示される。
【００８６】
前述のように本実施の形態によれば、操作部３には、複数チャンネルの番組情報のうち、一の番組情報から一の番組情報とは異なる他の番組情報へ切換えるための操作が可能な出力ＣＨ切換手段３１が設けられている。番組情報処理部２５は、出力ＣＨ切換手段３１が操作されて一の番組情報から切換えられた他の番組情報を出力装置２６によって出力するように、制御部４によって制御される。
【００８７】
したがって本実施の形態において、操作者は、前記従来技術のように、出力装置２６によって出力している番組情報を一旦停止する操作をした後、新たに視聴する番組情報を、電子番組表などを用いて選択し、その選択した番組情報を出力装置２６によって出力する操作をする必要がない。つまり本実施の形態では、操作者が出力ＣＨ切換手段３１によって、複数チャンネルの番組情報のうち、一の番組情報から他の番組情報へ切換えるための操作をするだけでよく、前記従来技術のような煩雑な操作をする必要がない。したがって操作者は、記録時の時間関係を維持した状態で、かつ同期して出力される複数チャンネルの番組情報のうちの前記一の番組情報から、他の番組情報へ比較的容易かつ即座に切換えて、他の番組情報を出力装置２６によって出力して視聴することができる。これによって、操作者に対する操作性および利便性をさらに向上することができる。
【００８８】
図７は、出力装置２６によって出力する番組情報５０を時間単位で切換える処理を説明するための図である。本実施の形態では、２０ＸＸ年４月８日金曜日に第１ＨＤＤ部１６に記録された番組情報５０のうちの一の番組情報５０から、前記一の番組情報５０の所定の記録時刻よりも２４時間前に第１ＨＤＤ部１６に記録された他の番組情報５０へ切換える処理について説明する。
【００８９】
具体的には、２０ＸＸ年４月８日金曜日に第１ＨＤＤ部１６に記録された番組情報５０のうち、記録ＣＨ情報５１が「記録ＣＨ６」の番組情報５０であって、１９時から２２時まで記録された番組情報「サッカーＡ」から、２０ＸＸ年４月７日木曜日に第１ＨＤＤ部１６に記録された番組情報５０のうち、記録ＣＨ情報５１が「記録ＣＨ６」の番組情報５０であって、１９時から２２時まで記録された番組情報「ナイター中継」へ切換える処理について説明する。
【００９０】
操作者が、２０ＸＸ年４月８日金曜日に第１ＨＤＤ部１６に記録された番組情報「サッカーＡ」を出力装置２６によって出力して視聴しているとき、番組情報「サッカーＡ」を出力している部分に相当する記録時刻（以下、「出力部分記録時刻」と称する場合がある）５５、具体的には１９時４５分に、第２番組検索キー３２ｂを操作したとする。
【００９１】
操作者によって１９時４５分に第２番組検索キー３２ｂが操作されると、番組情報処理部２５によって、出力装置２６によって出力している番組情報「サッカーＡ」の出力部分記録時刻５５である１９時４５分から予め定める時間、本実施の形態では２４時間を減算した時刻が求められ、その求められた時刻に対応する番組情報５０が、第１ＨＤＤ部１６から検索される。その後、出力装置２６のディスプレイの表示画面は、出力している番組情報「サッカーＡ」の表示画面（以下、単に「「サッカーＡ」の表示画面」と称する場合がある）７１から、番組情報処理部２５によって検索された前記求められた時刻に対応する番組情報「ナイター中継」の表示画面（以下、単に「「ナイター中継」の表示画面」と称する場合がある）７２へ切換えられる。
【００９２】
また操作者が、２０ＸＸ年４月７日木曜日に第１ＨＤＤ部１６に記録された番組情報「ナイター中継」を出力装置２６によって出力して視聴しているとき、番組情報「ナイター中継」から番組情報「サッカーＡ」へ切換えるために、番組検索手段３２の第１番組検索キー３２ａを操作したとする。前述のように操作者によって第１番組検索キー３２ａが操作されると、番組情報処理部２５によって、出力装置２６によって出力している番組情報「ナイター中継」の出力部分記録時刻５５である１９時４５分に、予め定める時間、本実施の形態では２４時間を加算した時刻が求められ、その求められた時刻に対応する番組情報５０が、第１ＨＤＤ部１６から検索される。その後、出力装置２６のディスプレイの表示画面は、「ナイター中継」の表示画面７２から、番組情報処理部２５によって検索された前記求められた時刻に対応する番組情報「サッカーＡ」の表示画面７１へ切換えられる。
【００９３】
出力装置２６によって出力している「サッカーＡ」の表示画面７１および「ナイター中継」の表示画面７２には、それぞれ出力している番組情報５０の記録日、記録時刻および記録ＣＨ情報５１を含む記録情報６５が表示される。具体的に述べると、「サッカーＡ」の表示画面７１には番組情報「サッカーＡ」の記録情報６５が記録日、記録時刻および記録ＣＨ情報５１の順に、たとえば「４／８，１９：４５，６ｃｈ」のように表示され、「ナイター中継」の表示画面７２には番組情報「ナイター中継」の記録情報６５が記録日、記録時刻および記録ＣＨ情報５１の順に、たとえば「４／７，１９：４５，６ｃｈ」のように表示される。
【００９４】
前述のように本実施の形態によれば、操作部３に設けられる番組検索手段３２を操作することによって、番組情報の記録時間における所定の時刻に予め定める時間を加算して求めた時刻、または前記所定の時刻から予め定める時間を減算して求めた時刻に対応する番組情報を出力するための指令を入力することができる。番組情報処理部２５は、出力装置２６によって出力している番組情報の記録時間における前記指令が入力されたときの時刻に予め定める時間、本実施の形態では２４時間を加算して求めた時刻、または前記指令が入力されたときの時刻から予め定める時間、本実施の形態では２４時間を減算して求めた時刻に対応する番組情報を、新たに出力装置２６によって出力するように、制御部４によって制御される。
【００９５】
したがって本実施の形態では、視聴する番組情報を記録時間単位で変更するにあたって、第１ＨＤＤ部１６に記録された番組情報から、視聴する番組情報を選択して視聴するとき、出力装置２６によって出力している番組情報を一旦停止する操作をした後、新たに視聴する番組情報を、電子番組表などを用いて選択し、その選択した番組情報を出力する操作をする必要がある前記従来技術とは異なり、操作者は前記従来技術のような煩雑な操作をする必要がない。
【００９６】
具体的に述べると、操作者は操作部３の番組検索手段３２を操作して、番組情報の記録時間における所定の時刻に２４時間を加算して求めた時刻、または前記所定の時刻から２４時間を減算して求めた時刻に対応する番組情報を出力するための指令を入力するだけで、出力装置２６によって出力している番組情報の記録時間における前記指令が入力されたときの時刻に２４時間を加算して求めた時刻に対応する番組情報、または前記指令が入力されたときの時刻から２４時間を減算して求めた時刻に対応する番組情報を、比較的容易かつ即座に出力して視聴することができる。これによって、視聴する番組情報を記録時間単位で変更する場合における操作者に対する操作性および利便性を向上することができる。
【００９７】
図８は、出力装置２６によって出力する連続番組情報８０を各回毎の連続番組情報単位で切換える処理を説明するための図である。本実施の形態では、２０ＸＸ年４月８日金曜日に第１ＨＤＤ部１６に記録された連続番組情報８０、具体的には記録ＣＨ情報５１が「記録ＣＨ１０」であって、１９時から２０時まで記録された番組情報「アニメＣ（第５話）」から、２０ＸＸ年４月１日金曜日に第１ＨＤＤ部１６に記録された連続番組情報８０、具体的には記録ＣＨ情報５１が「記録ＣＨ１０」であって、１９時から２０時まで記録された番組情報「アニメＣ（第４話）」へ切換える処理について説明する。
【００９８】
操作者が、２０ＸＸ年４月８日金曜日に第１ＨＤＤ部１６に記録された番組情報「アニメＣ（第５話）」を出力装置２６によって出力して視聴しているか、または視聴し終えているとき、連続番組検索手段３３の第２連続番組検索キー３３ｂを操作したとする。
【００９９】
操作者によって、第２連続番組検索キー３３ｂが操作されると、番組情報処理部２５によって、出力装置２６によって出力している連続番組情報「アニメＣ（第５話）」よりも前回に第１ＨＤＤ部１６に記録された連続番組情報が、第１ＨＤＤ部１６から検索される。その後、出力装置２６のディスプレイの表示画面は、出力している連続番組情報「アニメＣ（第５話）」の表示画面（以下、単に「「アニメＣ（第５話）」の表示画面」と称する場合がある）８１から、番組情報処理部２５によって検索された前記連続番組情報「アニメＣ（第５話）」よりも前回に第１ＨＤＤ部１６に記録された連続番組情報「アニメＣ（第４話）」の表示画面（以下、単に「「アニメＣ（第４話）」の表示画面」と称する場合がある）８２へ切換えられる。
【０１００】
また操作者が、２０ＸＸ年４月１日金曜日に第１ＨＤＤ部１６に記録された番組情報「アニメＣ（第４話）」を出力装置２６によって出力して視聴しているか、または視聴し終えているとき、２０ＸＸ年４月８日金曜日に第１ＨＤＤ部１６に記録された番組情報「アニメＣ（第５話）」へ切換えるために、連続番組検索手段３３の第１連続番組検索キー３３ａを操作したとする。前述のように操作者によって第１連続番組検索キー３３ａが操作されると、番組情報処理部２５によって、出力装置２６によって出力している連続番組情報「アニメＣ（第４話）」よりも次回に第１ＨＤＤ部１６に記録された連続番組情報が、第１ＨＤＤ部１６から検索される。その後、出力装置２６のディスプレイの表示画面は、「アニメＣ（第４話）」の表示画面８２から、番組情報処理部２５によって検索された連続番組情報「アニメＣ（第５話）」の表示画面８１へ切換えられる。
【０１０１】
出力装置２６によって出力している「アニメＣ（第５話）」の表示画面８１および「アニメＣ（第４話）」の表示画面８２には、それぞれ出力している連続番組情報８０の記録日、記録時刻および記録ＣＨ情報５１を含む記録情報６５が表示される。具体的に述べると、「アニメＣ（第５話）」の表示画面８１には連続番組情報「アニメＣ（第５話）」の記録情報６５が記録日、記録時刻および記録ＣＨ情報５１の順に、たとえば「４／８，１９：００，１０ｃｈ」のように表示され、「アニメＣ（第４話）」の表示画面８２には連続番組情報「アニメＣ（第４話）」の記録情報６５が記録日、記録時刻および記録ＣＨ情報５１の順に、たとえば「４／１，１９：００，１０ｃｈ」のように表示される。
【０１０２】
前述のように本実施の形態によれば、番組情報が、連続して定時的に放送局から送信される連続番組情報である場合、操作部３に設けられる連続番組検索手段３３を操作することによって、出力装置２６によって出力している連続番組情報よりも前回または次回に第１ＨＤＤ部１６に記録された連続番組情報を出力するための指令を入力することができる。番組情報処理部２５は、連続番組検索手段３３が操作されて入力された前記指令、出力装置２６によって出力している連続番組情報およびその記録時間情報に基づいて、出力装置２６によって出力している連続番組情報よりも前回または次回に記録された連続番組情報を、第１ＨＤＤ部１６に記録されている番組情報から検索して、出力装置２６によって出力するように、制御部４によって制御される。
【０１０３】
したがって本実施の形態では、視聴する連続番組情報を、各回毎の連続番組情報単位で変更するにあたって、第１ＨＤＤ部１６に記録された番組情報から所望の連続番組情報を選択して視聴するとき、出力装置２６によって出力している連続番組情報を一旦停止する操作をした後、新たに視聴する連続番組情報を、電子番組表などを用いて選択し、その選択した連続番組情報を出力する操作をする必要がある前記従来技術とは異なり、操作者は前記従来技術のような煩雑な操作をする必要がない。
【０１０４】
具体的に述べると、操作者は操作部３の連続番組検索手段３３を操作して、出力装置２６によって出力している連続番組情報よりも前回または次回に第１ＨＤＤ部１６に記録された連続番組情報を出力するための指令を入力するだけで、出力装置２６によって出力している番組情報よりも前回または次回に第１ＨＤＤ部１６に記録された連続番組情報が、第１ＨＤＤ部１６から検索されて出力される。したがって操作者は、検索されて出力装置２６によって出力される連続番組情報を比較的容易かつ即座に視聴することができる。これによって、視聴する連続番組情報を各回毎の連続番組情報単位で変更する場合における操作者に対する操作性および利便性をさらに向上することができる。
【０１０５】
図９は、出力装置２６によって出力する番組情報５０を同一ジャンルの番組情報単位で切換える処理を説明するための図である。本実施の形態では、２０ＸＸ年４月８日金曜日に第１ＨＤＤ部１６に記録された番組情報５０、具体的には記録記録ＣＨ情報５１が「記録ＣＨ１０」であって、１９時から２０時まで記録された番組情報「アニメＣ（第５話）」から、同日に第１ＨＤＤ部１６に記録された番組情報５０、具体的には記録ＣＨ情報５１が「記録ＣＨ４」であって、１７時から１８時まで記録された番組情報「アニメＡ（第１０話）」へ切換える処理について説明する。
【０１０６】
操作者が、２０ＸＸ年４月８日金曜日に第１ＨＤＤ部１６に記録された番組情報「アニメＣ（第５話）」を出力装置２６によって出力して視聴しているか、または視聴し終えているとき、同一ジャンル検索手段３４の第２同一ジャンル検索キー３４ｂを操作したとする。
【０１０７】
操作者によって、同一ジャンル検索手段３４の第２同一ジャンル検索キー３４ｂが操作されると、番組情報処理部２５によって、出力装置２６によって出力して視聴しているか、または視聴し終えている番組情報「アニメＣ（第５話）」と同一のジャンルの番組情報５０、本実施の形態ではジャンルが「アニメ」の番組情報５０であって、番組情報「アニメＣ（第５話）」の記録開始時刻よりも前に第１ＨＤＤ部１６に記録された番組情報「アニメＡ（第１０話）」が検索される。その後、出力装置２６のディスプレイの表示画面は、出力して視聴しているか、または視聴し終えている番組情報「アニメＣ（第５話）」の表示画面（以下、単に「「アニメＣ（第５話）」の表示画面」と称する場合がある）９１から、番組情報処理部２５によって検索された前記番組情報「アニメＡ（第１０話）」の表示画面（以下、単に「「アニメＡ（第１０話）」の表示画面と称する場合がある）９２へ切換えられる。
【０１０８】
また操作者が、２０ＸＸ年４月８日金曜日に第１ＨＤＤ部１６に記録された番組情報「アニメＡ（第１０話）」を出力装置２６によって出力して視聴しているか、または視聴し終えているとき、番組情報「アニメＡ（第１０話）」と同一のジャンルの番組情報５０、本実施の形態ではジャンルが「アニメ」の番組情報５０であって、番組情報「アニメＡ（第１０話）」と同一の記録開始時刻、または番組情報「アニメＡ（第１０話）」の記録終了時刻よりも後に第１ＨＤＤ部１６に記録された番組情報「アニメＣ（第５話）」へ切換えるために、同一ジャンル検索手段３４の第１同一ジャンル検索キー３４ａを操作したとする。
【０１０９】
前述のように操作者によって第１同一ジャンル検索キー３４ａが操作されると、番組情報処理部２５によって、出力装置２６によって出力して視聴しているか、または視聴し終えている番組情報「アニメＡ（第１０話）」と同一のジャンルの番組情報５０、本実施の形態ではジャンルが「アニメ」の番組情報５０であって、番組情報「アニメＡ（第１０話）」の記録開始時刻と同一時刻、または前記記録開始時刻よりも後に第１ＨＤＤ部１６に記録された番組情報「アニメＣ（第５話）」が検索される。その後、出力装置２６のディスプレイの表示画面は、「アニメＡ（第１０話）」の表示画面９２から、番組情報処理部２５によって検索された番組情報「アニメＣ（第５話）」の表示画面９１へ切換えられる。
【０１１０】
出力装置２６によって出力している「アニメＣ（第５話）」の表示画面９１および「アニメＡ（第１０話）」の表示画面９２には、それぞれ出力している番組情報５０の記録日、記録時刻および記録ＣＨ情報５１を含む記録情報６５が表示される。具体的に述べると、「アニメＣ（第５話）」の表示画面９１には番組情報「アニメＣ（第５話）」の記録情報６５が記録日、記録時刻および記録ＣＨ情報５１の順に、たとえば「４／８，１９：００，１０ｃｈ」のように表示され、「アニメＡ（第１０話）」の表示画面９２には番組情報「アニメＡ（第１０話）」の記録情報６５が記録日、記録時刻および記録ＣＨ情報５１の順に、たとえば「４／８，１７：００，４ｃｈ」のように表示される。
【０１１１】
前述のように本実施の形態によれば、操作部３に設けられる同一ジャンル検索手段３４を操作することによって、出力装置２６によって出力している番組情報のジャンルと同一のジャンルの番組情報を新たに出力するための指令を入力することができる。番組情報処理部２５は、同一ジャンル検索手段３４が操作されて入力された前記同一のジャンルの番組情報を出力するための指令、出力装置２６によって出力している番組情報およびその記録時間情報に基づいて、出力装置２６によって出力している番組情報と同一ジャンルの番組情報であって、出力している番組情報とは異なる番組情報を出力装置２６によって出力するように、制御部４によって制御される。
【０１１２】
したがって本実施の形態では、視聴する番組情報を、同一ジャンルの番組情報単位で変更するにあたって、第１ＨＤＤ部１６に記録された番組情報から所望の番組情報を選択して視聴するとき、出力装置２６によって出力している番組情報を一旦停止する操作をした後、新たに視聴する番組情報を、電子番組表などを用いて選択し、その選択した番組情報を出力する操作をする必要がある前記従来技術とは異なり、操作者は前記従来技術のような煩雑な操作をする必要がない。
【０１１３】
具体的に述べると、操作者は操作部３の同一ジャンル検索手段３４を操作して、番組情報のジャンルと同一ジャンルの番組情報を、出力装置２６によって出力するための指令を入力するだけで、記録時の時間関係を維持した状態で出力装置２６によって出力している番組情報と同一ジャンルの番組情報であって、出力している番組情報とは異なる番組情報が、第１ＨＤＤ部１６から検索されて出力される。したがって操作者は、出力装置２６によって出力される番組情報を比較的容易かつ即座に視聴することができる。これによって、視聴する番組情報を、同一ジャンルの番組情報単位で変更する場合における操作者に対する操作性および利便性を向上することができる。
【０１１４】
前述の実施の形態は、本発明の例示に過ぎず、発明の範囲内において構成を変更することができる。前述の実施の形態では、第１ＨＤＤ部１６の番組情報用記録領域に、第１エンコーダ部１５から与えられる複数チャンネルの符号化された番組情報、記録時間情報および第１エンコーダ部１５から与えられるＥＰＧ情報をそれぞれ関連付けた記録番組関連情報を記録するように構成されているけれども、このような構成に限定されない。
【０１１５】
本発明の他の実施の形態では、第１ＨＤＤ部１６の番組情報用記録領域に、前記番組情報と記録時間情報とを相互に関連付けた記録番組関連情報を記録するように構成されてもよい。このような構成にした場合でも前述の実施の形態と同様に、複数チャンネルの番組情報のうち、一の番組情報から他の番組情報へ比較的容易かつ即座に切換えて出力し、視聴することができる。
【０１１６】
また前述の実施の形態では、視聴する番組情報を記録時間単位で変更するにあたって、操作部３の番組検索手段３２を操作することによって、出力装置２６によって出力している番組情報の出力部分記録時刻５５に、予め定める時間として２４時間を加算して求めた時刻に対応する番組情報、または前記番組情報の出力部分記録時刻５５から、予め定める時間として２４時間を減算して求めた時刻に対応する番組情報を出力して視聴することができるように構成されているが、前記予め定める時間は、２４時間に限定されない。本発明の他の実施の形態では、前記予め定める時間は、予め操作者によって操作部３によって入力されて設定可能に構成されていてもよい。
【０１１７】
また前述の実施の形態では、同一のジャンルとして「アニメ」の番組情報を検索して、出力装置２６のディスプレイの表示画面を、現在出力している表示画面から、検索されたアニメの番組情報の表示画面へ切換える場合について説明したが、ジャンルは、「アニメ」に限定されない。本発明の他の実施の形態では、ジャンルは、ニュース、スポーツ、音楽、ドラマおよびバラエティであってもよく、前述の実施の形態と同様に好適に実施することができ、同様の効果を得ることができる。
【図面の簡単な説明】
【０１１８】
【図１】本発明の実施の一形態である情報記録出力装置１の構成を示すブロック図である。
【図２】操作部３の構成を示す図である。
【図３】記録番組関連情報４０を示す図である。
【図４】第１ＨＤＤ部１６に記録された複数チャンネルの番組情報５０、記録チャンネル情報５１および記録時間情報５２の一例を示す図である。
【図５】情報記録出力装置１の動作に関する処理手順を示すフローチャートである。
【図６】出力装置２６によって出力する番組情報５０のチャンネルを切換える処理を説明するための図である。
【図７】出力装置２６によって出力する番組情報５０を時間単位で切換える処理を説明するための図である。
【図８】出力装置２６によって出力する連続番組情報８０を各回毎の連続番組情報単位で切換える処理を説明するための図である。
【図９】出力装置２６によって出力する番組情報５０を同一ジャンルの番組情報単位で切換える処理を説明するための図である。
【符号の説明】
【０１１９】
１  情報記録出力装置
２  情報記録出力装置本体
３  操作部
４  制御部
１１  アンテナ
１２  複数チャンネル受信チューナモジュール部
１３  複数チャンネル受信チューナＩＣ
１４  Ａ／ＤコンバータＩＣ
１５  第１エンコーダ部
１６  第１ＨＤＤ部
１７  情報管理編集部
１８  第１デコーダ部
１９  情報処理部
２０  関連情報生成部
２１  第２エンコーダ部
２２  第２ＨＤＤ部
２３  第２デコーダ部
２４  メディア記録部
２５  番組情報処理部
２６  出力装置
３１  出力チャンネル（ＣＨ）切換手段
３２  番組検索手段
３３  連続番組検索手段
３４  同一ジャンル検索手段
４０  記録番組関連情報
５０  番組情報
５１  記録チャンネル情報
５２  記録時間情報
５３  視聴部分記録時刻
５５  出力部分記録時刻
６５  記録情報
８０  連続番組情報
【図１】
2007036864.tif 000003
【図２】
2007036864.tif 000004
【図３】
2007036864.tif 000005
【図４】
2007036864.tif 000006
【図５】
2007036864.tif 000007
【図６】
2007036864.tif 000008
【図７】
2007036864.tif 000009
【図８】
2007036864.tif 000010
【図９】
2007036864.tif 000011